(57)【要約】【課題】人又は物の出入りを漏れなく検知する入退室管理システムを提供する。【解決手段】質問信号を送信する第１の通信手段１２ａ、１２ｂと、質問信号を受信して応答信号を送信する応答器３と、応答信号を受信する第２の通信手段１３ａ、１３ｂと、応答信号から入退室を判断する入退判断部４とを備え、第１の通信手段１２ａ、１２ｂはそれぞれ異なる通信範囲を有し、夫々の通信範囲が一部重なり、通信範囲毎に異なる質問ＩＤを含む質問信号を同一の第１の通信周波数にて送信する。応答器３は質問信号に対して質問ＩＤと固有のユーザＩＤ１６を含む応答信号を第２の通信周波数にて送信する。質問ＩＤが異なりユーザＩＤ１６が同一の応答信号を第２の通信手段１３ａ、１３ｂが受信した時、入退判断部４は質問ＩＤの受信順序に応じて入退室を判断する。応答器３は通信範囲の重複部において何れの質問信号も認識できない。【選択図】図１
2007170086.tif 000002
【特許請求の範囲】
【請求項１】
２つの領域を隔てる境界の近傍であって、それぞれ異なる領域を主たる通信範囲として、且つそれぞれの通信範囲が当該境界上で一部重なるようにしてなり、前記通信範囲ごとに異なる質問ＩＤを含む質問信号を同一の第１の通信周波数において送信する第１の通信手段と、
前記それぞれの通信範囲を包含する第２の通信範囲を有し、且つ前記第１の通信周波数とは異なる第２の通信周波数において前記質問信号に対する応答信号を受信する第２の通信手段と、
固有のユーザＩＤを有し、前記第１の通信手段の通信範囲において前記質問信号を受信した時、当該質問信号に含まれる質問ＩＤと共に、自己のユーザＩＤを含む前記応答信号を前記第２の通信周波数において送信する応答器と、
前記第２の通信手段が質問ＩＤは異なるがユーザＩＤは同一である２つの応答信号を受信した時、それぞれの応答信号に含まれる質問ＩＤの受信順序に応じて、第１の通信手段の通信範囲のうち、一方の領域への進入及び一方の領域からの退去を判断する入退判断部と
を備えることを特徴とする入退室管理システム。
【請求項２】
前記境界に配置されたドアと、
当該ドアの開閉又は施錠解錠を制御するドア開閉制御部と、
前記ドアを介した入退室が許可された前記応答器のユーザＩＤが格納されたデータベースとを更に備え、
前記入退判断部は、前記第２の通信手段が応答信号を受信した時、この応答信号に含まれるユーザＩＤが前記データベースに格納されたものであるか否かを判断し、前記データベースに格納されたユーザＩＤと一致した時、前記ドア開閉制御部に対して前記ドアを開ける又は解錠する旨の制御信号を出力する
ことを特徴とする請求項１記載の入退室管理システム。
【発明の詳細な説明】
【技術分野】
【０００１】
本発明は人、物の移動を管理する入退室管理システムに関する。
【背景技術】
【０００２】
従来から、建物の部屋から部屋への入退室を行う人や物に、固有の信号を発信するタグを所持させて、人や物の入退室の方向、時間などを管理する技術が一般的に知られている（例えば、特許文献１〜４参照）。
【０００３】
具体的には、人や物に赤外線受信部と認証用の送信部を備えるタグを持たせ、ドアの出入り口に、赤外線発信部と認証用の通信部を持ったリーダを設置する。タグが赤外線を受信すると送信部がＩＤを含めた信号をリーダに送信し認証させる。これにより、ドアを挟んだ通過状態を管理する。その他、リーダの他、電波の強度及び方向を解析する装置、カメラ、又は赤外線センサをドア付近に設置して人の出入りを検出している。
【特許文献１】特開平９−２３１４２７号公報（特に、図１、図２、[0015]-[0016]参照）
【特許文献２】特開平１０−２９３８８６号公報
【特許文献３】特開平８−２６３７１４号公報
【特許文献４】特開２００３−２１６７９号公報
【発明の開示】
【発明が解決しようとする課題】
【０００４】
しかし、これら従来の入出管理装置では、多人数が連続してドア（出入り口）を通過する際に、赤外線の遮りやカメラに写らないなどの人や物の重なりによる影響が発生する。これにより、多人数が連続して入室／退室を行う場合、ドアを挟んだ入室／退室の正確な検知が行えない。
【０００５】
そこで本発明は、人又は物の出入りを漏れなく検知することができる入退室管理システムを提供することを目的とする。
【課題を解決するための手段】
【０００６】
本発明の入退室管理システムは、質問信号を送信する第１の通信手段と、この質問信号に対する応答信号を受信する第２の通信手段と、質問信号を受信して応答信号を送信する応答器と、入退室を判断する入退判断部とを備える。第１の通信手段は、２つの領域を隔てる境界の近傍であって、それぞれ異なる領域を主たる通信範囲として、且つそれぞれの通信範囲が当該境界上で一部重なるようにしてなり、通信範囲ごとに異なる質問ＩＤを含む質問信号を同一の第１の通信周波数において送信する。応答器は、固有のユーザＩＤを有し、第１の通信手段の通信範囲において質問信号を受信した時、当該質問信号に含まれる質問ＩＤと共に、自己のユーザＩＤを含む応答信号を第１の通信周波数とは異なる第２の通信周波数において送信する。第２の通信手段は、第１の通信手段のそれぞれの通信範囲を包含する第２の通信範囲を有し、且つこの第２の通信範囲から応答器が送信する応答信号を受信する。第２の通信手段が質問ＩＤは異なるがユーザＩＤは同一である２つの応答信号を受信した時、入退判断部は、それぞれの応答信号に含まれる質問ＩＤの受信順序に応じて、第１の通信手段の通信範囲のうち、一方の領域への進入及び一方の領域からの退去を判断する。応答器は、第１の通信手段の通信範囲が重複する一部において、いずれの質問信号も認識することができず、いずれの質問信号に対しても応答しない。
【０００７】
第１の通信手段の通信範囲の一部を重ね合わせることにより重複部分に通信不可範囲を設ける。この通信不可範囲を境界として、第１の通信手段の通信可能範囲を分割することができる。これにより、人や物の重なりによる影響を受けることなく、多人数が連続して入室／退室を行う場合、ドアを挟んだ入室／退室を正確に検知することができる。
【発明の効果】
【０００８】
本発明によれば、人又は物の出入りを漏れなく検知する入退室管理システムを提供することが出来る。
【発明を実施するための最良の形態】
【０００９】
以下図面を参照して、本発明の実施の形態を説明する。図面の記載において同一あるいは類似の部分には同一あるいは類似な符号を付している。
【００１０】
（第１の実施の形態）
図１に示すように、本発明の第１の実施の形態に係わる入退室管理システムは、質問信号を送信すると共に、この質問信号に対する応答信号を受信する第１のリーダ１及び第２のリーダ２と、第１及び第２のリーダ１、２からの質問信号を受信して応答信号を送信する応答器３と、第１及び第２のリーダ１、２が受信した応答信号に基づいて応答器３の入退室を判断する入退判断部４とを備える。
【００１１】
第１のリーダ１及び第２のリーダ２は、それぞれ、質問信号を応答器３に対して送信する第１の通信部（第１の通信手段）１２ａ、１２ｂと、この質問信号に対する応答信号を受信する第２の通信部（第２の通信手段）１３ａ、１３ｂと、入退判断部４との通信を行うインターフェース部１１ａ、１１ｂを備える。
【００１２】
応答器３は、第１の通信部１２ａ、１２ｂからの質問信号を受信する第１の通信部１４と、質問信号に対する応答信号を送信する第２の通信部１５と、固有のユーザＩＤ１６とを備える。つまり、複数の応答器３が存在しても、それぞれの応答信号に含まれるユーザＩＤ１６は異なったものであるため、ユニークなユーザＩＤ１６を参照して複数の応答器３を識別することができる。
【００１３】
第１の通信部１２ａ、１２ｂは、それぞれ、異なる質問ＩＤ（質問ＩＤ１、質問ＩＤ２）を含む質問信号を送信する。第１の通信部１２ａ、１２ｂは、それぞれ、質問信号を同一の第１の通信周波数において送信する。例えば、第１の通信周波数としてＬＦ波（長波）を用いればよい。ＬＦ波は、電波が到達する領域を特定のエリアに限定するエリア限定性に優れ、且つ応答器３を装着した人や物の重なりによる影響を受け難いという特徴を有する。これにより、人や物の重なりによる影響を受けることなく、多人数が連続して入室／退室を行う場合、ドアを挟んだ入室／退室を正確に検知することができる。
【００１４】
第１の通信部１４が質問信号を受信した時、第２の通信部１５は、当該質問信号に含まれる質問ＩＤと共に、自己のユーザＩＤ１６を応答信号に含ませて送信する。第２の通信部１５は、第１の通信周波数とは異なる第２の通信周波数において応答信号を送信する。例えば、第２の通信周波数として４００ＭＨｚ帯の高速な特定省電力無線を用いればよい。これにより、連続的に質問信号が送信されていても、応答信号は質問信号に遮られることなく第１及び第２のリーダ１、２まで到達することができる。
【００１５】
第２の通信部１３ａ、１３ｂは、それぞれ、質問ＩＤ１又は質問ＩＤ２と、送信元である応答器３に固有のユーザＩＤ１６とを含む応答信号を受信する。第２の通信部１３ａ、１３ｂが質問ＩＤは異なるがユーザＩＤは同一である２つの応答信号を受信したとする。この時、入退判断部４は、それぞれの応答信号に含まれる質問ＩＤの受信順序に応じて、応答器３の移動を判別する。詳細は、図２及び図３を参照して後述する。
【００１６】
図２及び図３を参照して、図１の入退室管理システムの設置例を説明する。第１及び第２のリーダ１、２は、ドアを挟んで設置されている。第１及び第２のリーダ１、２は、互いに異なる領域を主たる通信範囲（第１のリーダ通信範囲Ａ１、第２のリーダ通信範囲Ａ２）として有する。第１のリーダ通信範囲Ａ１、第２のリーダ通信範囲Ａ２は、入室エリア及び退室エリア（２つの領域）を隔てるドア（境界）の近傍にそれぞれ配置されている。第１のリーダ１は第１のリーダ通信範囲Ａ１において質問信号を送信し、第２のリーダ２は第２のリーダ通信範囲Ａ２において質問信号を送信することができる。第１のリーダ通信範囲Ａ１及び第２のリーダ通信範囲Ａ２は、ドアから数ｍ程度までの限定された領域である。これによって、人の重なりによる影響を受けにくくなる。
【００１７】
第１のリーダ通信範囲Ａ１及び第２のリーダ通信範囲Ａ２は、ドア上において一部が重複している。この重複部分（重複通信範囲Ａ１２）において、応答器３は、第１及び第２のリーダ１、２のいずれの質問信号も認識することができず、いずれの質問信号に対しても応答することができない。即ち、入室エリア及び退室エリア（２つの領域）を隔てるドア（境界）上に通信不可能領域が形成され、この通信不可能領域が第１のリーダ１と第２のリーダ２の通信可能領域（Ａ１及びＡ２）を分割する役割を果たしている。
【００１８】
応答器３はドアを通過するユーザ或いは物に装着されている。
【００１９】
第２の通信部１３ａ、１３ｂは、第１のリーダ通信範囲Ａ１及び第２のリーダ通信範囲Ａ２を包含する通信範囲（第２の通信範囲）を有する。よって、この通信範囲から応答器３が送信した応答信号を第２の通信部１３ａ、１３ｂが受信することができる。
【００２０】
第２の通信部１３ａ、１３ｂが質問ＩＤは異なるがユーザＩＤは同一である２つの応答信号を受信したとする。つまり、所定の時間内において、質問ＩＤ１を含む応答信号と、質問ＩＤ２を含む応答信号とを受信したとする。この時、入退判断部４は、それぞれの応答信号に含まれる質問ＩＤの受信順序に応じて、第１の通信手段の通信範囲のうち、一方の領域への進入及び同領域からの退去を判断する。例えば、先に質問ＩＤ１を含む応答信号を受信し、その後に、質問ＩＤ２を含む応答信号とを受信した場合、応答器３を装着したユーザが、入室エリアから退室エリアへ移動したと判断する。
【００２１】
図４を参照して、図１の入退室管理システムの処理動作の一例を説明する。ここでは、ユーザが第１のリーダ通信範囲Ａ１から重複通信範囲Ａ１２を経て第２のリーダ通信範囲Ａ２へ移動する際の処理動作を例に取り説明する。
【００２２】
（イ）先ず、Ｓ０１にて、応答器３を装着したユーザが、入室エリア側からドアに近づき、第１のリーダ通信範囲Ａ１に進入する。第１のリーダ通信範囲Ａ１では質問ＩＤ１を含む質問信号が連続的に送信されているため、第１のリーダ通信範囲Ａ１に進入した応答器３は、第１の通信部１４において質問ＩＤ１を含む質問信号を受信する（Ｓ０２）。
【００２３】
（ロ）Ｓ０３にて、応答器３は、第２の通信部１５を用いて、質問ＩＤ１及びユーザＩＤ１６を含む応答信号を第１のリーダ１又は第２のリーダ２に向けて送信する。第２の通信部１３ａ、１３ｂは、第１のリーダ通信範囲Ａ１及び第２のリーダ通信範囲Ａ２を包含する通信範囲を有するため、第１及び第２のリーダ１、２は、この通信範囲から応答器３が送信した上記の応答信号を第２の通信部１３ａ、１３ｂを用いて受信することができる。ここでは、第１のリーダ１が応答信号を受信した場合について説明を続ける。
【００２４】
（ハ）Ｓ０４にて、第１のリーダ１は、応答信号に含まれるユーザＩＤ１６により応答器３を認識する。つまり、ユーザＩＤ１６を有する応答器３を所持したユーザが入室エリアに進入したことを検知する。そして、Ｓ０５にて、第１のリーダ１は、第２の通信部１３ａを用いて、応答器３に対して認識を完了した旨の認識完了信号を送信し、応答器３は、第２の通信部１５を用いて、この認識完了信号を受信する。
【００２５】
（ニ）Ｓ０６にて、第１のリーダ１のインターフェース部１１ａは、応答信号に含まれるユーザＩＤ１６を入退判断部４へ伝達する。Ｓ０７にて、ユーザが、第１のリーダ通信範囲Ａ１から重複通信範囲Ａ１２へ進入する。この重複部分（重複通信範囲Ａ１２）においては、第１のリーダ１からの質問信号と第２のリーダ２からの質問信号が混合されて互いに干渉し合い、その結果、応答器３は、第１及び第２のリーダ１、２のいずれの質問信号も認識することができず、受信不可能な状態となる（Ｓ０８）。
【００２６】
（ホ）その後、Ｓ０７にて、ユーザが、重複通信範囲Ａ１２から第２のリーダ通信範囲Ａ２へ進入する。すると今度は、第２のリーダ通信範囲Ａ２では質問ＩＤ２を含む質問信号のみが連続的に送信されているため、第２のリーダ通信範囲Ａ２に進入した応答器３は、第１の通信部１４において質問ＩＤ２を含む質問信号を受信するようになる（Ｓ１０）。
【００２７】
（へ）Ｓ１１にて、応答器３は、第２の通信部１５を用いて、質問ＩＤ２及びユーザＩＤ１６を含む応答信号を第１のリーダ１又は第２のリーダ２に向けて送信する。第２の通信部１３ａ、１３ｂは、第１のリーダ通信範囲Ａ１及び第２のリーダ通信範囲Ａ２を包含する通信範囲を有するため、第１及び第２のリーダ１、２は、この通信範囲から応答器３が送信した上記の応答信号を第２の通信部１３ａ、１３ｂを用いて受信することができる。ここでは、第２のリーダ２が応答信号を受信した場合について説明を続ける。
【００２８】
（ト）Ｓ１２にて、第２のリーダ２は、応答信号に含まれるユーザＩＤ１６により応答器３を認識する。つまり、ユーザＩＤ１６を有する応答器３を所持したユーザが退室エリアに進入したことを検知する。そして、Ｓ１３にて、第２のリーダ２は、第２の通信部１３ｂを用いて、応答器３に対して認識を完了した旨の認識完了信号を送信し、応答器３は、第２の通信部１５を用いて、この認識完了信号を受信する。Ｓ１４にて、第２のリーダ２のインターフェース部１１ｂは、応答信号に含まれるユーザＩＤ１６を入退判断部４へ伝達する。
【００２９】
以上の処理手順により、ユーザの入室エリアから退室エリアへの退室動作が検知される。また、上記の逆の手順を実施することにより、ユーザの退室エリアから入室エリアへの入室動作が検知される。
【００３０】
応答器３は固有のユーザＩＤ１６を含む応答信号をリーダに対して送信するため、応答器３をそれぞれ装着した複数のユーザが連続して入室動作又は退室動作を行った場合であっても、それぞれに対して上記の処理動作を実施することができる。よって、多人数でドアを通過する際に、複数のユーザを連続して認識することができる。
【００３１】
また、図２及び図３に示したように、ドアを境界にして第１のリーダ通信範囲Ａ１と、第２のリーダ通信範囲Ａ２とを配置し、ドアを含む境界部分に何れの質問信号も認識不可能な重複通信範囲Ａ１２を電波を重ねあわせて形成することによりユーザの入退室動作を正確に検知することができる。例えば、ユーザが第１のリーダ通信範囲Ａ１から重複通信範囲Ａ１２へ進入したが、第２のリーダ通信範囲Ａ２にはしなかったとする。この場合、仮に重複通信範囲Ａ１２で第２のリーダ２からの質問信号を認識出来てしまうと、第２のリーダ通信範囲Ａ２へ進入したと誤認してしまうおそれがある。しかし、重複通信範囲Ａ１２で双方の質問信号を認識不可能とすることで、退室動作を行うためドアまで近づいたが、引き返したような場合についても正確な動作検知が可能となる。
【００３２】
（第２の実施の形態）
第２の実施の形態では、図１の入退室管理システムに対して、更に正当な入退室権限を持ったユーザであるか否かの判定を行う機能が追加されたシステムについて説明する。
【００３３】
図５に示すように、本発明の第２の実施の形態に係わる入退室管理システムは、質問信号を送信すると共に、この質問信号に対する応答信号を受信する第１のリーダ１及び第２のリーダ２と、第１及び第２のリーダ１、２からの質問信号を受信して応答信号を送信する応答器３と、第１及び第２のリーダ１、２が受信した応答信号に基づいて応答器３の入退室を判断する入退判断部４と、入退判断部４の判断に基づいて開閉又は開錠施錠されるドア５とを備える。
【００３４】
図１のシステムとの差異は、入退判断部４及びドア５である。第１のリーダ１及び第２のリーダ２のそれぞれの構成は、図１のそれらと同じであり、説明を省略する。また同様に、応答器３の構成についても図１のそれと同様であり、説明を省略する。
【００３５】
入退判断部４は、ドア５の開閉又は施錠解錠を制御するドア開閉制御部２１と、ドア５を介した入退室が許可された応答器３のユーザＩＤ１６が格納されたデータベース２２と、第１のリーダ１及び第２のリーダ２との間で主にユーザＩＤの通信を行うためのインターフェース部２３とを備える。
【００３６】
入退判断部４は、第２の通信部１３ａ、１３ｂが応答信号を受信した時、この応答信号に含まれるユーザＩＤ１６がデータベース２２に格納されたものであるか否かを判断し、データベース２２に格納されたユーザＩＤと一致した時、ドア開閉制御部２１に対してドア５を開けること又は解錠する旨の制御信号を出力する。ドア開閉制御部２１は、この制御信号に基づいて、ドア５を開閉又は開錠施錠する。
【００３７】
図６を参照して、図５の入退室管理システムの処理動作の一例を説明する。ここでは、ユーザが第１のリーダ通信範囲Ａ１から重複通信範囲Ａ１２を経て第２のリーダ通信範囲Ａ２へ移動する際の処理動作を例に取り説明する。
【００３８】
（い）先ず、Ｓ２１にて、応答器３を装着したユーザが、入室エリア側からドアに近づき、第１のリーダ通信範囲Ａ１に進入する。第１のリーダ通信範囲Ａ１では質問ＩＤ１を含む質問信号が連続的に送信されているため、第１のリーダ通信範囲Ａ１に進入した応答器３は、第１の通信部１４において質問ＩＤ１を含む質問信号を受信する（Ｓ２２）。
【００３９】
（ろ）Ｓ２３にて、応答器３は、第２の通信部１５を用いて、質問ＩＤ１及びユーザＩＤ１６を含む応答信号を第１のリーダ１又は第２のリーダ２に向けて送信する。第２の通信部１３ａ、１３ｂは、第１のリーダ通信範囲Ａ１及び第２のリーダ通信範囲Ａ２を包含する通信範囲を有するため、第１及び第２のリーダ１、２は、この通信範囲から応答器３が送信した上記の応答信号を第２の通信部１３ａ、１３ｂを用いて受信することができる。ここでは、第１のリーダ１が応答信号を受信した場合について説明を続ける。
【００４０】
（は）Ｓ２４にて、第１のリーダ１は、応答信号に含まれるユーザＩＤ１６により応答器３を認識する。つまり、ユーザＩＤ１６を有する応答器３を所持したユーザが入室エリアに進入したことを検知する。
【００４１】
（に）Ｓ２５にて、第１のリーダ１のインターフェース部１１ａは、応答信号に含まれるユーザＩＤ１６を入退判断部４へ伝達する。
【００４２】
（ほ）そして、Ｓ２６にて、入退判断部４は、応答信号に含まれるユーザＩＤ１６がデータベース２２に格納されたものであるか否かを判断する。ユーザＩＤ１６がデータベース２２に格納されたものでない場合（Ｓ２６にてＮＯ）、Ｓ２７に進み、不正なユーザであるとして処理を進める。或いは、ドア開閉制御部２１に対してドア５を開けること又は解錠する旨の制御信号を出力しない。
【００４３】
（へ）一方、ユーザＩＤ１６がデータベース２２に格納されたユーザＩＤと一致した場合（Ｓ２６にてＹＥＳ）、入退判断部４は、ドア開閉制御部２１に対してドア５を開ける又は解錠する旨の制御信号を出力する。そして、Ｓ２８に進み、第１のリーダ１は、第２の通信部１３ａを用いて、応答器３に対して認識を完了した旨の認識完了信号を送信し、応答器３は、第２の通信部１５を用いて、この認識完了信号を受信する。
【００４４】
（と）Ｓ２９にて、ドア開閉制御部２１は、上記の制御信号に基づいて、ドア５を開閉又は開錠施錠する。Ｓ３０にて、ユーザが、第１のリーダ通信範囲Ａ１から重複通信範囲Ａ１２へ進入する。この重複部分（重複通信範囲Ａ１２）においては、第１のリーダ１からの質問信号と第２のリーダ２からの質問信号が混合されて互いに干渉し合い、その結果、応答器３は、第１及び第２のリーダ１、２のいずれの質問信号も認識することができず、受信不可能な状態となる（Ｓ３１）。
【００４５】
（ち）その後、Ｓ３２にて、ユーザが、重複通信範囲Ａ１２から第２のリーダ通信範囲Ａ２へ進入する。すると今度は、第２のリーダ通信範囲Ａ２では質問ＩＤ２を含む質問信号が連続的に送信されているため、第２のリーダ通信範囲Ａ２に進入した応答器３は、第１の通信部１４において質問ＩＤ２を含む質問信号を受信するようになる（Ｓ３３）。
【００４６】
（り）Ｓ３４にて、応答器３は、第２の通信部１５を用いて、質問ＩＤ２及びユーザＩＤ１６を含む応答信号を第１のリーダ１又は第２のリーダ２に向けて送信する。第２の通信部１３ａ、１３ｂは、第１のリーダ通信範囲Ａ１及び第２のリーダ通信範囲Ａ２を包含する通信範囲を有するため、第１及び第２のリーダ１、２は、この通信範囲から応答器３が送信した上記の応答信号を第２の通信部１３ａ、１３ｂを用いて受信することができる。ここでは、第２のリーダ２が応答信号を受信した場合について説明を続ける。
【００４７】
（ぬ）Ｓ３５にて、第２のリーダ２は、応答信号に含まれるユーザＩＤ１６により応答器３を認識する。つまり、ユーザＩＤ１６を有する応答器３を所持したユーザが退室エリアに進入したことを検知する。Ｓ３６にて、第２のリーダ２のインターフェース部１１ｂは、応答信号に含まれるユーザＩＤ１６を入退判断部４へ伝達する。
【００４８】
（る）そして、Ｓ３７にて、入退判断部４は、応答信号に含まれるユーザＩＤ１６がデータベース２２に格納されたものであるか否かを判断する。ユーザＩＤ１６がデータベース２２に格納されたものでない場合（Ｓ３７にてＮＯ）、Ｓ３８に進み、不正なユーザであるとして処理を進める。例えば、不正ユーザの侵入を知らせる警報を報知する。
【００４９】
（を）一方、ユーザＩＤ１６がデータベース２２に格納されたユーザＩＤと一致した場合（Ｓ３７にてＹＥＳ）、正当なユーザであるとして処理を進める。そして、Ｓ３９に進み、第２のリーダ２は、第２の通信部１３ｂを用いて、応答器３に対して認識を完了した旨の認識完了信号を送信し、応答器３は、第２の通信部１５を用いて、この認識完了信号を受信する。
【００５０】
以上の処理手順により、ユーザの入室エリアから退室エリアへの退室動作が検知される。また、上記の逆の手順を実施することにより、ユーザの退室エリアから入室エリアへの入室動作が検知される。
【００５１】
なお、ユーザ認証を入室エリア（Ｓ２７）と退室エリア（Ｓ３７）とで２回行っている場合について説明したが、何れか一方のみであっても構わない。
【００５２】
入退判断部４が、データベース２２を参照してユーザＩＤの認証を行い、ドアの開閉又は開錠施錠を行うことにより、正当な入退室権限を有するユーザのみの入退室動作を許可し、不正な入退室動作を禁止することができる。
【００５３】
（その他の実施の形態）
上記のように、本発明は、２つの実施の形態によって記載したが、この開示の一部をなす論述及び図面はこの発明を限定するものであると理解すべきではない。この開示から当業者には様々な代替実施の形態、実施例及び運用技術が明らかとなろう。即ち、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００５４】
【図１】本発明の第１の実施の形態に係わる入退室管理システムの構成を示すブロック図である。
【図２】図１の入退室管理システムの設置例を示す模式図であり、ドアを横から見た図である。
【図３】図１の入退室管理システムの設置例を示す模式図であり、ドアを上から見た図である。
【図４】図１の入退室管理システムの処理動作の一例を示すフローチャートである。
【図５】本発明の第２の実施の形態に係わる入退室管理システムの構成を示すブロック図である。
【図６】図５の入退室管理システムの処理動作の一例を示すフローチャートである。
【符号の説明】
【００５５】
１…第１のリーダ
２…第２のリーダ
３…応答器
４…入退判断部
５…ドア
１１ａ、１１ｂ…インターフェース部
１２ａ、１２ｂ…第１の通信部（第１の通信手段）
１３ａ、１３ｂ…第２の通信部（第２の通信手段）
１４…第１の通信部
１５…第２の通信部
１６…ユーザＩＤ
２１…ドア開閉制御部
２２…データベース
２３…インターフェース部
【図１】
2007170086.tif 000003
【図２】
2007170086.tif 000004
【図３】
2007170086.tif 000005
【図４】
2007170086.tif 000006
【図５】
2007170086.tif 000007
【図６】
2007170086.tif 000008